(57)【要約】【課題】撮影画像をグループごとに容易に管理できる撮像装置を提供する。【解決手段】デジタルカメラは、構図の見本となる３つのガイド画像を参照させつつ撮影を行うことで、所定の構図の３つの撮影画像を取得できるガイド撮影機能を備えている。３つのガイド画像は、一の「ガイド撮影」フォルダに予め格納されている。ガイド撮影時には、この３つのガイド画像にそれぞれ従って得られる３つの撮影画像を一のグループ（撮影画像群）とし、この一のグループを一のグループフォルダに記録する。これにより、撮影画像をグループごとに管理することができる。【選択図】        図６
2004312244.tif 000002
【特許請求の範囲】
【請求項１】
被写体を撮影して撮影画像を取得する撮像手段を有する撮像装置であって、
所定数の準備画像によって構成されて一の準備フォルダに予め格納された準備画像群を検出する検出手段と、
前記準備フォルダとは異なる記録用フォルダを撮影画像の記録媒体に作成し、各準備画像に対応した属性を持つ所定数の撮影画像を１つのグループとした撮影画像群を、撮影画像群ごとに一の記録用フォルダに記録する記録手段と、
を備えることを特徴とする撮像装置。
【請求項２】
請求項１に記載の撮像装置において、
前記準備画像群は、前記撮影画像群を取得する際の構図見本となるガイド画像群として準備されており、
各準備画像が、ガイド画像としての構図を属性情報として含むことを特徴とする撮像装置。
【請求項３】
請求項１に記載の撮像装置において、
画像処理を行う画像処理手段、
をさらに備え、
各準備画像の属性は、画像処理条件を含み、
前記画像処理手段は、前記撮像手段で得られた一の未処理撮影画像に対して、前記所定数の準備画像のそれぞれの属性で指示される画像処理条件に基づく画像処理をそれぞれ行うことにより、前記一の撮影画像群として前記所定数の処理済画像を生成することを特徴とする撮像装置。
【請求項４】
請求項１ないし３のいずれかに記載の撮像装置において、
前記準備画像群および前記撮影画像群のそれぞれには、各構成画像のそれぞれの属性を示す識別情報が、それぞれの画像データの本体とは別に付されることを特徴とする撮像装置。
【請求項５】
請求項１ないし４のいずれかに記載の撮像装置において、
前記記録手段は、新たな撮影画像群を取得するときに、前記新たな撮影画像群を記録するための新たな記録用フォルダを作成することを特徴とする撮像装置。
【発明の詳細な説明】
【０００１】
【発明の属する技術分野】
本発明は、被写体を撮影して撮影画像を取得する撮像装置に関する。
【０００２】
【従来の技術】
従来より、デジタルカメラなどの撮像装置においては、ディスプレイに表示される構図の見本となるガイド画像を参照しながら撮影を行うことで、定められた構図の撮影画像を取得するガイド撮影機能を備えたものが知られている。一般に、このようなデジタルカメラにおいては、複数のガイド画像が予め準備されており、ガイド撮影を行うことで、複数のガイド画像のそれぞれと構図が略同一となる複数の撮影画像を取得することができる（例えば、特許文献１参照。）。
【０００３】
例えば、ユーザが自動車販売業者である場合に、販売対象となる自動車の広告のための画像を取得するときには、一の自動車を「フロント」、「リア」および「サイド」の３つの構図で撮影することが望まれる。このため、「フロント」、「リア」および「サイド」の３つの構図のそれぞれを示すガイド画像が予めデジタルカメラに準備される。ガイド撮影時においては、これらの３つのガイド画像のうちの一枚が表示され、この表示が参照されて撮影画像が取得される。例えば「フロント」を示すガイド画像が表示されると、ユーザによりこのガイド画像が参照されて撮影がなされ、「フロント」を示す撮影画像が取得される。同様に、「リア」および「サイド」を示すガイド画像がそれぞれ参照されて撮影がなされることで、「リア」および「サイド」を示す撮影画像がそれぞれ取得される。このようなガイド撮影を行うことで、一の自動車に関して「フロント」、「リア」および「サイド」の構図にそれぞれ対応する３つの撮影画像を容易に得ることができる。
【０００４】
【特許文献１】
特開２００２−７７６９１号公報
【０００５】
【発明が解決しようとする課題】
ところで、特許文献１に開示された電子カメラは、記憶装置内に準備されたガイド画像に対して、該ガイド画像に対応して取得された撮影画像を上書きして記録するようになっている。したがって、例えば、「フロント」、「リア」および「サイド」の３つのガイド画像の組を１つだけ準備した場合は、「フロント」、「リア」および「サイド」の３つの撮影画像の組（グループ）を１つだけしか得ることができない。
【０００６】
しかしながら、実際の業務においては、ガイド撮影を複数回行うことにより、「フロント」、「リア」および「サイド」の３つの撮影画像からなるグループを、複数グループ得ることが要求される。特許文献１の電子カメラを使用して同様の目的を達成するためには、「フロント」、「リア」および「サイド」のガイド画像の組を、撮影画像のグループの取得希望数分、ユーザが予め用意する必要があり、非常に煩雑な作業が必要となる。
【０００７】
また、ガイド撮影を複数回行うことにより、撮影画像の複数のグループを得た場合は、比較的多数の撮影画像が発生する。例えば、上記の例のガイド撮影を１０回行った場合は、「フロント」、「リア」および「サイド」に対応する３枚×１０回の計３０枚の撮影画像が得られる。これらの多数の撮影画像を、記録媒体であるメモリカード内へ一括して記録すると、事後的に撮影画像を取り扱う際に、撮影画像のそれぞれがいずれのグループに属するものであるかを判別することは容易でなかった。
【０００８】
本発明は、上記課題に鑑みてなされたものであり、ユーザの繁雑な作業を伴わずに、撮影画像をグループごとに容易に管理できる撮像装置を提供することを目的とする。
【０００９】
【課題を解決するための手段】
上記課題を解決するため、請求項１の発明は、被写体を撮影して撮影画像を取得する撮像手段を有する撮像装置であって、所定数の準備画像によって構成されて一の準備フォルダに予め格納された準備画像群を検出する検出手段と、前記準備フォルダとは異なる記録用フォルダを撮影画像の記録媒体に作成し、各準備画像に対応した属性を持つ所定数の撮影画像を１つのグループとした撮影画像群を、撮影画像群ごとに一の記録用フォルダに記録する記録手段と、を備えている。
【００１０】
また、請求項２の発明は、請求項１に記載の撮像装置において、前記準備画像群は、前記撮影画像群を取得する際の構図見本となるガイド画像群として準備されており、各準備画像が、ガイド画像としての構図を属性情報として含むことを特徴とする。
【００１１】
また、請求項３の発明は、請求項１に記載の撮像装置において、画像処理を行う画像処理手段、をさらに備え、各準備画像の属性は、画像処理条件を含み、前記画像処理手段は、前記撮像手段で得られた一の未処理撮影画像に対して、前記所定数の準備画像のそれぞれの属性で指示される画像処理条件に基づく画像処理をそれぞれ行うことにより、前記一の撮影画像群として前記所定数の処理済画像を生成することを特徴とする。
【００１２】
また、請求項４の発明は、請求項１ないし３のいずれかに記載の撮像装置において、前記準備画像群および前記撮影画像群のそれぞれには、各構成画像のそれぞれの属性を示す識別情報が、それぞれの画像データの本体とは別に付されることを特徴とする。
【００１３】
また、請求項５の発明は、請求項１ないし４のいずれかに記載の撮像装置において、前記記録手段は、新たな撮影画像群を取得するときに、前記新たな撮影画像群を記録するための新たな記録用フォルダを作成することを特徴とする。
【００１４】
【発明の実施の形態】
以下、この発明の実施の形態について図面を参照しつつ詳細に説明する。なお、以下の説明においては、撮像装置の一例として、デジタルカメラについて説明する。
【００１５】
＜１．第１の実施の形態＞
＜１−１．デジタルカメラの構成＞
まず、デジタルカメラ１の構成について説明する。図１はデジタルカメラ１を示す斜視図であり、図２はデジタルカメラ１の背面側の構成を示す図である。
【００１６】
図１に示すように、デジタルカメラ１の前面側には、撮影レンズ３、フラッシュ２３および光学ファインダ２２の対物窓が設けられている。撮影レンズ３は、その内部に複数のレンズ群を有している。また、デジタルカメラ１の内部における撮影レンズ３の後方位置の適所には、レンズ群を介して被写体の画像を取得する撮像素子であるＣＣＤ２１が設けられている。
【００１７】
デジタルカメラ１の上面側には、撮影指示をユーザから受け付けるためのシャッタスタートボタン（以下、「シャッタボタン」という。）２５、および、電源のオンオフを切り替えるためのメインスイッチ２４が配置されている。なお以下、シャッタボタン２５による撮影指示に応じてＣＣＤ２１にて取得される被写体の画像を「撮影画像」と呼ぶ。
【００１８】
デジタルカメラ１の側面部にはカードスロット２６が形成される。撮影画像等を記録するための記録媒体であるメモリカード９は、このカードスロット２６に対して着脱可能となっている。
【００１９】
一方、図２に示すように、デジタルカメラ１の背面側には、光学ファインダ２２の接眼窓、動作モードを切り替えるためのモード切替レバー２７、各種表示を行う液晶モニタ２８、ならびに、各種操作を行うためのボタン群２９および十字キー３０が設けられている。
【００２０】
液晶モニタ２８は、メモリカード９に記録された撮影画像や、デジタルカメラ１の各種設定を行うための設定メニューなど様々な情報を表示する。撮影待機状態において液晶モニタ２８には、被写体のほぼリアルタイムな状態を示す画像を表示するライブビュー表示が行われる。これによりユーザは液晶モニタ２８をファインダ替わりに利用して、フレーミングを行うことも可能とされている。
【００２１】
デジタルカメラ１はその動作モードとして「再生モード」と「通常撮影モード」と「ガイド撮影モード」とを有し、モード切替レバー２７の操作によりこれら動作モードの切り替えがなされる。「ガイド撮影モード」は、所定の構図の撮影画像を得るために、予め準備された準備画像であるガイド画像を液晶モニタ２８に表示しつつユーザに撮影を行わせるガイド撮影を行う動作モードである。一方、「通常撮影モード」はガイド画像等の表示を伴うことなく、単に撮影画像を取得する動作モードである。また、「再生モード」は、「ガイド撮影モード」や「通常撮影モード」で取得された撮影画像を再生表示する動作モードである。
【００２２】
ボタン群２９には、メニューボタン２９ａ、決定ボタン２９ｂ、切替ボタン２９ｃおよび終了ボタン２９ｄが含まれている。また、十字キー３０には、上ボタン、下ボタン、左ボタンおよび右ボタンが含まれている。メニューボタン２９ａを押下すると液晶モニタ２８に設定メニューが表示される。ユーザは、設定メニューを参照しつつ、十字キー３０や決定ボタン２９ｂ等を操作することによって、デジタルカメラ１の各種の設定を行うことができる。
【００２３】
＜１−２．デジタルカメラの内部構成＞
次に、デジタルカメラ１の内部構成について説明する。図３はデジタルカメラ１の主たる内部構成をブロックにて示す図である。
【００２４】
ＣＣＤ２１は、露光して信号電荷を蓄積する受光部、ならびに、信号電荷を転送出力する垂直転送部、水平転送部および出力部等から構成されている。受光部は、Ｒ（赤）Ｇ（緑）Ｂ（青）いずれかのカラーフィルタがそれぞれ貼り付けられた二次元に配列された複数の画素から構成され、撮影レンズ３のレンズ群３１により結像された被写体の光像を信号電荷（画像信号）に光電変換する。受光部の各画素に蓄積された信号電荷は読み出されて、一旦垂直転送部へ転送された後、水平画素列ごとに水平転送部に転送されて順次出力部から出力される。
【００２５】
タイミングジェネレータ２０１は、全体制御部４０から入力される信号に基づいて、露光開始や終了などを決定するタイミングパルス等をＣＣＤ２１へ送出する。
【００２６】
信号処理回路２０２は、ＣＣＤ２１から出力される画像に対して所定のアナログ信号処理を施す。信号処理回路２０２は、ＣＤＳ（相関二重サンプリング）回路とＡＧＣ（オートゲインコントロール）回路とをその内部に有し、ＣＤＳ回路により画像のノイズの低減を行い、ＡＧＣ回路により画像のレベル調整を行う。Ａ／Ｄ変換器２０３は、信号処理回路２０２から出力されたアナログ信号の画像を、デジタル信号の画像に変換する。
【００２７】
画像メモリ２０４は、Ａ／Ｄ変換器２０３から出力された画像を一時的に記憶保持するメモリである。画像処理部２０５は、画像メモリ２０４に格納された画像に対して各種の画像処理を施す。具体的には、画像処理部２０５は欠落した色成分を補間する色成分補間処理、ホワイトバランス補正処理、γ補正処理、解像度変換処理、画像圧縮処理および色変換処理等の所定の画像処理を行う。この画像処理部２０５の処理により、液晶モニタ２８に表示させるための画像や、メモリカード９に記録するための圧縮された画像（撮影画像）などが生成される。
【００２８】
デジタルカメラ１の撮影待機状態においては、ライブビュー表示を行うために、所定の時間周期でＣＣＤ２１にて画像が取得される。この画像は信号処理回路２０２およびＡ／Ｄ変換器２０３により所定の処理が施された後、画像メモリ２０４に格納される。画像メモリ２０４に格納された画像は、画像処理部２０５の処理により表示用の画像とされて液晶モニタ２８に表示される。これにより、所定の時間周期で得られる画像が時間的に連続して液晶モニタ２８に表示される。以下、ライブビュー表示に用いるために所定の時間周期でＣＣＤ２１にて取得される画像を「ライブ画像」という。
【００２９】
レンズ駆動部２０９は、撮影レンズ３内の被写体の合焦の状態を決定するレンズ群３１や、入射光量を決定する絞り等の部材を駆動する。レンズ駆動部２０９は、全体制御部４０に電気的に接続され、全体制御部４０から入力される信号に基づいて撮影レンズ３内の部材を駆動する。
【００３０】
カードＩ／Ｆ２０６は、カードスロット２６に装着されるメモリカード９への画像の記録や、メモリカード９からの画像の読み出し等を行う。このカードＩ／Ｆ２０６は全体制御部４０に電気的に接続され、全体制御部４０からの信号に基づいて画像の記録や読み出しを行う。また、液晶モニタ２８も全体制御部４０に電気的に接続され、全体制御部４０の制御下においてライブビュー表示や設定メニューの表示などの各種の表示を行う。
【００３１】
操作入力部２０は、上述したシャッタボタン２５、モード切替レバー２７、ボタン群２９および十字キー３０等を含む操作部材をひとつの機能ブロックとして示している。操作入力部２０の操作は、信号として全体制御部４０に入力される。
【００３２】
全体制御部４０は、デジタルカメラ１の上述した各処理部の動作を統括的に制御するものであり、マイクロコンピュータを備えて構成される。具体的には全体制御部４０は、各種演算処理を行うＣＰＵ４１と、演算を行うための作業領域となるＲＡＭ４２と、制御プログラム等が記憶されるＲＯＭ４３とを備えている。
【００３３】
全体制御部４０の各種の機能は、ＲＯＭ４３に記憶される制御プログラムに従ってＣＰＵ４１が演算処理を行うことにより実現される。このような制御プログラムは、予めＲＯＭ４３内に記憶されているものであるが、メモリカード９から読み出すなどにより、新たな制御プログラムをＲＯＭ４３に格納することも可能とされている。
【００３４】
このような制御プログラムによって実現される機能には、デジタルカメラ１の上述した各部の動作制御の他、絞り値およびシャッタースピードなどの露出条件を決定する露出制御、撮影レンズ３のレンズ群３１の合焦位置を決定するＡＦ制御、画像処理部２０５における画像処理条件などを決定する画像処理制御などの各種の機能が含まれる。
【００３５】
図３において、ガイド撮影制御部５０は、制御プログラムによって実現される機能の一を示している。また、ガイド画像検出部５１および記録制御部５２は、ガイド撮影制御部５０の機能を示している。ガイド撮影制御部５０は、「ガイド撮影モード」においてガイド撮影を行う際のデジタルカメラ１の各処理部の動作を統括的に制御する機能である。
【００３６】
＜１−３．ガイド撮影＞
次に、主としてガイド撮影制御部５０の制御によってなされるガイド撮影について図４を参照して説明する。なお、以下の説明においては、被写体を自動車とした場合についての様々な具体例を示すが、これらは説明の理解を促すための例示であり、本実施の形態に係るデジタルカメラ１の用途がこのような用途に限定されるものではない。
【００３７】
ガイド撮影においては、予め準備されたガイド画像が液晶モニタ２８に表示され、ユーザがこのガイド画像を参照しながら被写体の撮影を行うことで、ガイド画像と略同一の構図となる撮影画像を得ることができる。
【００３８】
図４において、上部はガイド画像を示しており、下部はガイド画像に従って取得された撮影画像を示している。図４の例においては、「フロント」（第１構図）、「リア」（第２構図）および「サイド」（第３構図）の３つの構図をそれぞれ示す３つのガイド画像Ｇ１，Ｇ２，Ｇ３が存在している。そして、これらの３つのガイド画像Ｇ１，Ｇ２，Ｇ３に従ってガイド撮影を行うことで、「フロント」（第１構図）、「リア」（第２構図）および「サイド」（第３構図）の３つの構図をそれぞれ示す３つの撮影画像Ｐ１，Ｐ２，Ｐ３が取得される。
【００３９】
より具体的には、ガイド撮影を行う際には、例えば「フロント」を示すガイド画像Ｇ１がまず液晶モニタ２８に表示される。ユーザはこのガイド画像Ｇ１と同様の構図となるように被写体となる自動車に対してフレーミングを行った後、シャッタボタン２５により撮影指示を行う。これにより撮影が行われ、「フロント」を示す撮影画像Ｐ１が得られる。同様に、「リア」を示すガイド画像Ｇ２に従って撮影が行われることで「リア」を示す撮影画像Ｐ２が得られ、「サイド」を示すガイド画像Ｇ３に従って撮影が行われることで「サイド」を示す撮影画像Ｐ３が得られる。すなわち、撮影画像Ｐ１はガイド画像Ｇ１、撮影画像Ｐ２はガイド画像Ｇ２、撮影画像Ｐ３はガイド画像Ｇ３にそれぞれ対応し、対応するガイド画像と略同一構図となるように取得される。
【００４０】
このようにガイド撮影を行うことで３つのガイド画像Ｇ１，Ｇ２，Ｇ３のそれぞれの構図に対応する一連の３つの撮影画像Ｐ１，Ｐ２，Ｐ３が得られる。つまり、３つのガイド画像Ｇ１，Ｇ２，Ｇ３は、所定の構図にそれぞれなるように一連の３つの撮影画像Ｐ１，Ｐ２，Ｐ３を取得するための構図見本となる。そして、このような３つのガイド画像の組み合わせ（３つの構図の組み合わせ）が、ガイド撮影のパターンを規定する。例えば図４の例の場合は、「フロント」、「リア」および「サイド」の３つの構図の組み合わせがガイド撮影の一のパターンとなる。他のパターンとしては、例えば、「フロント」、「リア」および「前部座席」の３つの構図の組み合わせなどが考えられる。なお、一のパターンを規定するガイド画像の数は３である必要はなく、２以下（１を含む。つまり、単数であってもよい。）あるいは４以上であってもよいが、本実施の形態では簡単のため３であるものとする。
【００４１】
デジタルカメラ１では、一のパターンのガイド撮影を繰り返して行うことが可能であり、一のパターンを規定する３つのガイド画像の個々の構図にそれぞれ対応する３つの撮影画像の組を、複数組、取得することができる。例えば図４の例においては、「フロント」、「リア」および「サイド」をそれぞれ示す３つの撮影画像の組を、複数組取得することができる。本実施の形態においては、このような３つのガイド画像のそれぞれの構図に対応して取得される３つの撮影画像の組を「撮影画像群」または「グループ」と呼ぶ。図４の例の場合は、一の撮影画像群（グループ）は、一の被写体（自動車）について撮影角度や倍率などの撮影条件を変えて撮影した複数の画像の集合に対応する。
【００４２】
デジタルカメラ１では、一のグループに含まれる撮影画像の全てを時間的に連続して取得する必要はなく、一部の構図に対応する撮影画像のみを取得しておき、未取得の構図に対応する撮影画像を事後的に取得することも可能となっている。このため、一のグループに含まれる撮影画像の数は、一のパターンを規定するガイド画像の数（本実施の形態では３）以下となる。なお、デジタルカメラ１では、一のグループを新規に取得する撮影を「新規撮影」、一のグループ内の未取得の構図に対応する撮影画像を追加的に取得する撮影を「追加撮影」という。
【００４３】
＜１−４．メモリカード＞
ガイド撮影に用いられるガイド画像はメモリカード９内に予め準備されて記憶される。図５は、撮影画像を記録する前のメモリカード９内の状態の例を示す図である。図５に示すように、メモリカード９内のデータ格納構造には、階層フォルダ構造（階層ディレクトリ構造）が採用され、ガイド画像を含む各種のデータは階層フォルダ構造におけるいずれかのフォルダ内に格納される。なお、図５において、フォルダやデータを示す記号の横に示された文字列は、対応するフォルダやデータの名称を示している（下記で説明する図６についても同様。）。
【００４４】
図５に示すように、階層フォルダ構造の最上層には、「ルート」フォルダが設けられ、この「ルート」フォルダ内には子フォルダとして「ガイド撮影」フォルダと「通常撮影」フォルダとが設けられている。「ガイド撮影」フォルダは「ガイド撮影モード」に係るデータを格納するためのフォルダであり、「通常撮影」フォルダは「通常撮影モード」に係るデータを格納するためのフォルダである。
【００４５】
図５に示す「ガイド撮影」フォルダ内には、子フォルダとして「パターン１」フォルダおよび「パターン２」フォルダが設けられている。これらは、パターンフォルダと呼ばれ、ガイド撮影のパターンごとに設けられる。各パターンフォルダ内には子フォルダとして一の「ガイド画像」フォルダが設けられる。そして、この「ガイド画像」フォルダ内には、ガイド撮影のパターンを規定する３つの異なるガイド画像が格納される。
【００４６】
このようにパターンごとのガイド画像群は、メモリカード９内の階層フォルダ構造における所定の階層の準備フォルダとなる一の「ガイド画像」フォルダ内に格納される。そして、一の「ガイド画像」フォルダ内に格納される３つのガイド画像（ここでの例では「フロント」、「リア」および「サイド」のそれぞれのガイド画像）が、その親フォルダであるパターンフォルダに対応する一のガイド撮影のパターンを規定する。例えば図５の例においては、ガイド撮影の一のパターンである「パターン１」をガイド画像１１〜１３が規定し、ガイド撮影の一のパターンである「パターン２」をガイド画像２１〜２３が規定しており、それぞれのパターンは異なる属性の同一の組み合わせ（「フロント」、「リア」および「サイド」）に対応した構成画像からなる。なお、ガイド撮影のパターンの名称は、対応するパターンフォルダの名称と同一とされる。
【００４７】
このようなガイド画像は、ユーザがコンピュータ等を使用して外部からデジタルカメラ１に画像転送を行うことにより図５に示す如く格納されるようになっていてもよく、デジタルカメラ１がガイド画像を取得する動作モードを備え、この動作モードにおいて取得された撮影画像がガイド画像として図５に示す如く登録されるようになっていてもよい。
【００４８】
図６は、撮影画像を記録した後のメモリカード９内の状態の例を示す図である。図６において、撮影画像１１１〜１１３および撮影画像１２１〜１２３は、「ガイド撮影モード」において得られた撮影画像を示しており、一方、撮影画像００１〜００２は、「通常撮影モード」において得られた撮影画像を示している。また、撮影画像１１１〜１１３が一のグループである「グループ１」に属し、撮影画像１２１〜１２３が一のグループである「グループ２」に属している。
【００４９】
図に示すように、「通常撮影モード」において得られた撮影画像は「通常撮影」フォルダの下層に記録される。一方、「ガイド撮影モード」において得られた撮影画像は、「ガイド撮影」フォルダ内における、撮影されたパターンに対応するパターンフォルダの下層に記録される。そしてさらに、撮影画像は、一のグループごとに、グループフォルダと呼ばれる一の記録用フォルダ（「グループ１」フォルダ，「グループ２」フォルダ）内に格納されるようになっている。各グループの名称は、対応するグループフォルダの名称と同一とされる。グループの名称に付される番号は、そのグループが生成された順位を示し、各グループを識別する。
【００５０】
このように撮影画像が各種のフォルダに分類されて記録されることで、撮影画像がいずれの撮影モードで得られたものかがわかる。また特に「ガイド撮影モード」において得られた撮影画像に関しては、撮影されたパターンに対応するパターンフォルダ内の一のグループフォルダに記録されるため、撮影画像がいずれのパターンで撮影され、いずれのグループに属するかも容易に判別することができる。これにより、撮影画像を容易に管理することができるようになっている。撮影画像をいずれのフォルダに記録するかの制御は、全体制御部４０によってなされる。特に「ガイド撮影モード」において得られた撮影画像をいずれのフォルダに記録するかの制御は、記録制御部５２によってなされる。
【００５１】
＜１−５．タグ情報＞
本実施の形態のガイド画像および撮影画像は、Ｅｘｉｆ（Ｅｘｃｈａｎｇｅａｂｌｅ  Ｆｉｌｅ  Ｆｏｒｍａｔ）形式の画像ファイルとしてメモリカード９内に記憶される。
【００５２】
図７は、本実施の形態のＥｘｉｆ形式の画像ファイルの例を示す図である。図に示すように、本実施の形態の画像ファイルは、タグ情報部７１、画像本体部７２およびサムネイル画像部７３から構成される。画像（ガイド画像あるいは撮影画像）自体を示すデータは、画像本体部７２に格納される。サムネイル画像部７３には、画像本体部７２に格納された画像を示す解像度の比較的低い画像が格納される。
【００５３】
また、タグ情報部７１には、画像本体部７２に格納された画像の属性を示す各種の情報（タグ情報）が記載される。図に示すように、本実施の形態においては、タグ情報として、撮影された撮像装置のメーカ名や機種名などとともに、ガイド撮影における構図を識別する番号（以下、「構図番号」という。）が含まれている。構図番号には１〜３のいずれかの数値が与えられる。この構図番号が「１」であれば画像本体部７２の画像が第１構図、構図番号が「２」であれば画像本体部７２の画像が第２構図、構図番号が「３」であれば画像本体部７２の画像が第３構図であることをそれぞれ示す。つまり、ガイド画像および撮影画像のそれぞれには、構図を示す情報が識別符号（数字や文字など）を用いて画像データ本体とは別に付されることとなる。図４の例においては、「フロント」を示す画像Ｇ１，Ｐ１には構図番号に「１」、「リア」を示す画像Ｇ２，Ｐ２には構図番号に「２」、「サイド」を示す画像Ｇ３，Ｐ３には構図番号に「３」がそれぞれ付される。なお、「通常撮影モード」で得られた撮影画像には、このような構図番号は付されない。
【００５４】
＜１−６．ガイド撮影モードの動作＞
次に、ガイド撮影モードにおけるデジタルカメラ１の動作について説明する。図８および図９は、主としてガイド撮影制御部５０の制御によりなされるガイド撮影モードにおけるデジタルカメラ１の動作の流れを示す図である。以下、図８ないし図９を参照しつつこの動作について説明する。なお、この動作の前には、メモリカード９内に図５あるいは図６に示すように、ガイド画像はメモリカード９内の階層フォルダ構造における所定の階層の「ガイド画像」フォルダ内に予め格納されているものとする。
【００５５】
モード切替レバー２７の操作により動作モードが「ガイド撮影モード」に切り替えられると、まず、ガイド画像検出部５１によってメモリカード９内が参照され、パターンフォルダ（「パターン１」フォルダ等）が検出される（ステップＳＴ１）。続いて、検出されたパターンフォルダは、それぞれガイド撮影のパターンと認識され、このパターンの一覧が液晶モニタ２８に表示される。
【００５６】
図１０は、パターンの一覧が表示された液晶モニタ２８の画面の例を示す図である。ユーザは、このような画面を参照しつつ、十字キー３０を操作してカーソルＣを移動させることによって、いずれかのパターンを選択することができる。そして、所望のパターンを選択した後、決定ボタン２９ｂを押下することにより、選択を決定することができる。すなわち、決定ボタン２９ｂの押下に応答して、選択結果（パターンの選択の指示）がガイド撮影制御部５０に受け付けられる。ここで選択されたパターンは、以降のガイド撮影に使用されるパターンとなる（ステップＳＴ２）。
【００５７】
次に、ガイド画像検出部５１によって、選択されたパターンに対応するパターンフォルダ内のグループフォルダ（「グループ１」フォルダ等）が検出される（ステップＳＴ３）。続いて、検出されたグループフォルダは、それぞれグループと認識され、このグループの一覧が液晶モニタ２８に表示される。
【００５８】
図１１は、グループの一覧が表示された液晶モニタ２８の画面の例を示す図である。図に示すように、液晶モニタ２８には、検出された既存のグループの名称を示す文字列とともに、「新規グループ」という文字列が表示される。ユーザは、十字キー３０の操作によってカーソルＣを移動させ、グループの名称および「新規グループ」のうちの所望の文字列を選択して決定ボタン２９ｂを押下する。この決定ボタン２９ｂの押下に応答して、選択結果（グループの選択の指示、あるいは、「新規グループ」の選択指示）がガイド撮影制御部５０に受け付けられる（ステップＳＴ４）。
【００５９】
「新規グループ」が選択された場合は、以降、新規に一の撮影画像群（グループ）を取得する「新規撮影」が行われる（ステップＳＴ５にてＹｅｓ）。一方、グループの名称が選択された場合は、以降、選択された既存のグループ内で未取得の構図に対応する撮影画像を追加的に取得する「追加撮影」が行われる（ステップＳＴ５にてＮｏ）。
【００６０】
「新規撮影」が行われる場合は、まず、取得対象となる新規のグループを格納するための一のグループフォルダが、記録制御部５２により作成される。このグループフォルダは、ステップＳＴ２において選択されたパターンに対応するパターンフォルダ内に、その子フォルダとして作成される（図６参照。）。すなわち、選択されたパターンを規定するガイド画像が格納された「ガイド画像」フォルダと、階層フォルダ構造における同一階層に、グループフォルダが作成される。このグループフォルダの名称には、既存のグループ数＋１が付される。例えば、既存のグループが存在していなければグループフォルダの名称は「グループ１」となり、既存のグループが２つ存在していれば、グループフォルダの名称は「グループ３」となる。作成されたグループフォルダは、以降の処理において、撮影画像の記録対象とするフォルダ（以下、「対象グループフォルダ」という。）として記録制御部５２により設定される（ステップＳＴ６）。
【００６１】
次に、選択されたパターンに対応するパターンフォルダ内の「ガイド画像」フォルダ内に予め格納された３つのガイド画像が、ガイド画像検出部５１によって検出される（ステップＳＴ７）。続いて、図１２に示す如く、検出されたガイド画像Ｇが配列されて液晶モニタ２８に表示される。図１２に示す画面は、これから撮影を行う撮影画像の構図（ガイド画像）をユーザに決定させるための画面（以下、「構図決定画面」という。）となる（ステップＳＴ８）。
【００６２】
図１２に示すように、構図決定画面においては、６つの画像を２行×３列に配列して表示可能となっている。１行目に相当する位置（画面の上部）はガイド画像Ｇを表示すべき位置となる。また、１行目において、左から１列目に相当する位置は第１構図（「フロント」）を示すガイド画像Ｇ１を表示すべき位置、２列目に相当する位置は第２構図（「サイド」）を示すガイド画像Ｇ２を表示すべき位置、３列目に相当する位置は第３構図（リア）を示すガイド画像Ｇ３を表示すべき位置とそれぞれなる。したがって、ステップＳＴ７にて検出された３つのガイド画像Ｇは、画面の上部に左から構図番号順に横方向に配列されて表示される。このようなガイド画像Ｇを表示する際の配置の決定には、ガイド画像Ｇのそれぞれに付されたタグ情報に含まれる「構図番号」が参照される。
【００６３】
一方、２行目に相当する位置（画面の下部）は、対象グループフォルダ内の撮影画像を表示すべき位置となる。２行目においても、左から１列目に相当する位置は第１構図を示す撮影画像を表示すべき位置、２列目に相当する位置は第２構図を示す撮影画像を表示すべき位置、３列目に相当する位置は第３構図を示す撮影画像を表示すべき位置とそれぞれなる。ただし、対象グループフォルダ内に該当する構図の撮影画像が存在していない場合は、その撮影画像を表示すべき位置には、未取得であることを示すダミー画像Ｐｄが表示される。新規撮影を行う際には、対象グループフォルダ内には撮影画像は存在していないため、図１２の例に示す如く、２行目に相当する位置には３つのダミー画像Ｐｄが表示される。
【００６４】
このような構図決定画面においては、ガイド画像Ｇのいずれかを選択するための矩形のカーソルＣが表示される。ユーザは、十字キー３０を操作してカーソルＣを移動させることによって、いずれかのガイド画像Ｇを、撮影する構図の見本として選択することができる。所望の構図（ガイド画像Ｇ）が選択された後、決定ボタン２９ｂが押下されると構図の選択が決定される。すなわち、決定ボタン２９ｂの押下に応答して、選択結果（構図の選択の指示）がガイド撮影制御部５０に受け付けられる（ステップＳＴ９）。
【００６５】
構図（ガイド画像Ｇ）の選択の指示が受け付けられると、続いて、液晶モニタ２８においてライブビュー表示がなされる。このとき、図１３に示すように、液晶モニタ２８には、選択されたガイド画像Ｇがライブ画像Ｌに重畳して表示される。ユーザは、このような画面を参照することで、ガイド画像Ｇと同一の構図となるように被写体に対してフレーミングを行うことができる。なお、このとき切替ボタン２９ｃの押下などに応答して、ガイド画像Ｇの非表示、あるいは、ガイド画像Ｇの表示位置の移動などがなされてもよい（ステップＳＴ１０）。
【００６６】
ユーザがフレーミングを行った後、シャッタボタン２５を押下すると、デジタルカメラ１に撮影指示が受け付けられ（ステップＳＴ１１にてＹｅｓ）、この撮影指示に応答してＣＣＤ２１にて撮影画像が取得される。取得された撮影画像は、信号処理回路２０２およびＡ／Ｄ変換器２０３により所定の処理がなされて画像メモリ２０４に格納される。画像メモリ２０４内の撮影画像は、さらに、画像処理部２０５により所定の処理が施されて、Ｅｘｉｆ形式の画像ファイルとされる。このとき、ガイド撮影制御部５０の制御により、画像ファイルのタグ情報に「構図番号」が記載される。この「構図番号」には、ステップＳＴ９にて受け付けられたガイド画像Ｇのタグ情報に付された構図番号と同一の番号が記載される（ステップＳＴ１２）。撮影画像は、画像ファイルとされると、記録制御部５２の制御により、対象グループフォルダ内に記録される（ステップＳＴ１３）。
【００６７】
このようにして一の構図に対応する撮影画像が取得されると、続いて、同一グループ内の他の構図に対応する撮影画像の取得を目的として、構図決定画面が再び表示される。この構図決定画面の表示あたっては、まず、対象グループフォルダ内の撮影画像が検出され（ステップＳＴ１４）、検出された撮影画像の表示を伴う構図決定画面が液晶モニタ２８に表示される。図１４は、このときの構図決定画面の例を示す図である。この構図決定画面における画像の配列手法は、上述した構図決定画面（図１２）と同様である。図１４の例においては、上述した撮影によって得られた第１構図（「フロント」）を示す撮影画像Ｐ１が対象グループフォルダ内に存在していたため、２行目の１列目に、この撮影画像Ｐ１が表示されている。撮影画像Ｐを表示する際の配置の決定には、ガイド画像Ｇと同様に、撮影画像Ｐに付されたタグ情報の「構図番号」が参照される。ユーザは、このような画面を参照することで、グループのうちのいずれの構図の撮影画像Ｐが取得済で、いずれの構図の撮影画像Ｐが未取得であるかを容易に把握することができる（ステップＳＴ１５）。
【００６８】
また、図１４の例に示すように対象グループフォルダ内に撮影画像Ｐが一つでも存在していた場合は、構図決定画面において、構図の選択の指示ととともに、切替ボタン２９ｃの操作による変更指示、および、終了ボタン２９ｄの操作による終了指示をユーザは行うことができる（ステップＳＴ１６）。ユーザは変更指示を行うことにより別のパターンや別のグループを選択することができ（処理はステップＳＴ１に戻る。）、また、終了指示を行うことによりガイド撮影を終了することができる。
【００６９】
構図決定画面において構図の選択の指示を再び行った場合は、処理はステップＳＴ１０に戻る。これにより、選択されたガイド画像Ｇがライブ画像Ｌに重畳して表示され、さらに撮影指示がなされることにより、選択されたガイド画像Ｇの構図に対応する撮影画像Ｐが取得される。このようにステップＳＴ１０ないしＳＴ１３を繰り返すことにより、最終的に、一のグループを構成する３つ構図にそれぞれ対応する撮影画像Ｐが取得される。そして、これら３つの撮影画像Ｐはすべて対象グループフォルダ内に格納される。
【００７０】
図１５は、一の撮影画像群すなわちグループを構成する３つの撮影画像Ｐ（撮影画像Ｐ１、撮影画像Ｐ２、撮影画像Ｐ３）が取得された後の構図決定画面の例を示す図である。図に示すように、２行目の左から１列目に相当する位置に第１構図（「フロント」）を示す撮影画像Ｐ１、２列目に相当する位置に第２構図（「サイド」）を示す撮影画像Ｐ２、３列目に相当する位置は第３構図（リア）を示す撮影画像Ｐ３がそれぞれ表示される。ユーザは、このような２行目に表示される撮影画像Ｐを参照することにより、グループ内で構図属性が異なる３つの撮影画像Ｐを比較することができる。一方、３つの列をそれぞれ参照することにより、構図が同一となるガイド画像Ｇと撮影画像Ｐとを容易に比較することができる。なお、この構図決定画面において、十字キー３０および決定ボタン２９ｂの操作による構図の選択の指示を行った場合は、選択したガイド画像Ｇに対応する撮影画像Ｐを再び取得すること（撮影画像Ｐの撮り直し）ができる。
【００７１】
次に、ステップＳＴ４にて既存のグループが選択され、「追加撮影」が行われる場合について説明する。「追加撮影」が行われる場合は、選択されたグループに対応するグループフォルダが対象グループフォルダとして記録制御部５２により設定される。続いて、「ガイド画像」フォルダ内に予め格納された３つのガイド画像がガイド画像検出部５１によって検出される（ステップＳＴ１７）とともに、対象グループフォルダ内の撮影画像が検出される（ステップＳＴ１４）。これにより、検出されたガイド画像および撮影画像を表示する構図決定画面が液晶モニタ２８に表示される。以降は、上述した「新規撮影」において２枚目以降の撮影画像Ｐを取得する動作と同様の動作がなされる。
【００７２】
「新規撮影」および「追加撮影」のいずれの場合も、取得された撮影画像Ｐは、対象グループフォルダ内に格納される。対象グループフォルダは、ステップＳＴ４にて選択された撮影対象となるグループ（新規のグループも含む）に対応するものである。したがって、一のグループに属する撮影画像は必ず対応する一のグループフォルダ内に格納される。すなわち、所定数の撮影画像からなる一の撮影画像群（つまり一のグループ）ごとに一のグループフォルダ内に格納される。このため、撮影画像をグループごとに容易に管理できる。例えば、事後的にユーザが撮影画像をコンピュータなどで扱う際には、ユーザは一のグループフォルダを参照することで、当該グループに属する３つの撮影画像を容易に認識することができる。また、図１５等に示すように、一のグループに属する全ての撮影画像をデジタルカメラ１が配列して表示すべき場合においても、そのグループに対応する一のグループフォルダ内のみを検出すればよいため、デジタルカメラ１の処理も高速化される。
【００７３】
以上、第１の実施の形態について説明したように、本実施の形態のデジタルカメラ１では、ガイド画像検出部５１が一の「ガイド画像」フォルダに予め格納された、所定数のガイド画像によって構成されるガイド画像群を検出する。そして、記録制御部５２がメモリカード９にグループフォルダを作成し、検出された各ガイド画像に対応した構図となる所定数の撮影画像を１つのグループとした撮影画像群を、撮影画像群ごとに一のグループフォルダに記録する。このため、「ガイド画像」フォルダとグループフォルダとで、含まれる画像の構図の組み合わせが一致する。これにより、撮影画像を撮影画像群（グループ）ごとに容易に管理できる。また、グループフォルダは、記録制御部５２により自動的に作成されるため、ユーザが予めグループフォルダを準備するなどの煩雑な作業も必要とならない。
【００７４】
また、デジタルカメラ１では、ガイド画像および撮影画像のそれぞれに、属性を示すタグ情報が、画像の本体とは別に付されている。そして、このタグ情報には構図を示す識別情報が含まれている。これにより、ガイド画像の構図と撮影画像の構図との対応関係を明確とすることができ、例えば、図１５のように同一構図のガイド画像と撮影画像とを配列して表示することも容易となる。
【００７５】
また、記録制御部５２は、一のグループを新規に取得するときに、その一のグループを記録するための新たなグループフォルダを作成するため、無駄なフォルダが作成されることもない。また、グループフォルダは、階層フォルダ構造における「ガイド画像」フォルダと同一階層に作成されるため、「ガイド画像」フォルダと、グループフォルダとの対応関係が明瞭となる。より具体的には、グループフォルダに対応するグループが、いずれのガイド画像に従って取得されたかを容易に識別することができる。
【００７６】
また、ガイド画像を記録するメモリカード９は、デジタルカメラ１に対して着脱可能であることから、各種のガイド画像を記録したメモリカード９を複数枚用意しておけば、デジタルカメラ１に対して装着するメモリカード９を入れ替えることで、様々な構図に対応した撮影画像を得ることができる。
【００７７】
＜２．第２の実施の形態＞
次に、本発明の第２の実施の形態について説明する。本実施の形態のデジタルカメラ１の外観構成は、図１および図２に示すものとほぼ同様である。ただし、本実施の形態のデジタルカメラ１は、「ガイド撮影モード」ではなく「モデル撮影モード」を動作モードの一として有しており、モード切替レバー２７の操作により「再生モード」と「通常撮影モード」と「モデル撮影モード」との間で、動作モードの切り替えがなされる。「モデル撮影モード」は、予め準備された準備画像としての所定数のモデル画像にそれぞれ対応した（互いに異なる）画像処理条件で個別に画像処理を行って所定数の撮影画像を取得する動作モードである。
【００７８】
図１６は、本実施の形態のデジタルカメラ１の主たる内部構成をブロックにて示す図である。図３と図１６とを比較してわかるように、本実施の形態の全体制御部は、第１の実施の形態のガイド撮影制御部５０の替わりに、モデル撮影制御部６０を備えている。このモデル撮影制御部６０は、制御プログラムによって実現される機能の一である。また、図１６において、モデル画像検出部６１および記録制御部６２は、モデル撮影制御部６０の機能を示している。モデル撮影制御部６０は、「モデル撮影モード」時のデジタルカメラ１の各処理部の動作を統括的に制御する機能である。
【００７９】
また、本実施の形態の画像処理部２０５は、予め設定された画像処理条件に従って画像メモリ２０４に格納された撮影画像に対して画像処理を行う。画像処理条件が設定可能な画像処理には、画像圧縮処理、解像度変換処理、色変換処理などがある。
【００８０】
画像圧縮処理に対しての画像処理条件には、「画像形式」および「画像圧縮率」がある。「画像形式」には、「ＪＰＧ」および「ＲＡＷ」のいずれかを設定することができる。「画像形式」に「ＪＰＧ」が設定された場合は撮影画像に対してＪＰＥＧ方式の圧縮処理がなされ、「画像形式」に「ＲＡＷ」が設定された場合は撮影画像に対して圧縮処理はなされない。また、「画像圧縮率」には、「高」および「低」のいずれかを設定することができる。「画像圧縮率」に「高」が設定された場合は比較的高い圧縮率、「画像圧縮率」に「低」が設定された場合は比較的低い圧縮率でそれぞれ撮影画像に対して圧縮処理がなされる。
【００８１】
解像度変換処理に対しての画像処理条件には、「画像サイズ」がある。「画像サイズ」には、「ＵＸＧＡ」、「ＳＸＧＡ」および「ＶＧＡ」のいずれかを設定することができる。「画像サイズ」に「ＵＸＧＡ」が設定された場合は１６００×１２００画素の解像度、「画像サイズ」に「ＳＸＧＡ」が設定された場合は１２８０×９６０画素の解像度、「画像サイズ」に「ＶＧＡ」が設定された場合は６４０×４８０画素の解像度に、撮影画像がそれぞれ変換される。
【００８２】
色変換処理に対しての画像処理条件には、「カラー形式」がある。「カラー形式」には、「カラー」および「モノクロ」のいずれかを設定することができる。「カラー形式」に「カラー」が設定された場合は、撮影画像が彩度を有するように画素値に対する処理がなされ、「カラー形式」に「モノクロ」が設定された場合は、撮影画像の彩度が０となるように画素値に対する処理がなされる。
【００８３】
「通常撮影モード」における画像処理条件は、設定メニューにおいて十字キー３０や決定ボタン２９ｂ等を操作することによって設定することができる。一方、「モデル撮影モード」における画像処理条件は、予め準備されたモデル画像のタグ情報が参照されて自動的に決定される。
【００８４】
本実施の形態のモデル画像および撮影画像も、Ｅｘｉｆ形式の画像ファイルでメモリカード９内に記録され、タグ情報が付されている。図１７は、本実施の形態のＥｘｉｆ形式の画像ファイルの例を示す図である。図に示すように、本実施の形態においては、撮影された撮像装置のメーカ名や機種名などとともに、画像処理条件（「画像形式」「画像圧縮率」「画像サイズ」「カラー形式」など）がタグ情報に含まれている。「モデル撮影モード」では、モデル画像に付されたタグ情報に属性情報として含まれるこのような画像処理条件に従って、撮影画像に対する画像処理条件が決定される。
【００８５】
モデル画像は、メモリカード９内に予め準備されて記憶される。図１８は、撮影画像を記録する前のメモリカード９内の状態の例を示す図である。図１８に示すように、本実施の形態においても、メモリカード９内のデータ格納構造には、階層フォルダ構造（階層ディレクトリ構造）が採用され、モデル画像を含む各種のデータは階層フォルダ構造におけるいずれかのフォルダ内に格納される。なお、図１８において、フォルダやデータを示す記号の横に示された文字列は、対応するフォルダやデータの名称を示している（下記で説明する図１９についても同様。）。
【００８６】
図１８に示すように、階層フォルダ構造の最上層には、「ルート」フォルダが設けられ、この「ルート」フォルダ内には子フォルダとして「モデル撮影」フォルダと「通常撮影」フォルダとが設けられている。「モデル撮影」フォルダは「モデル撮影モード」に係るデータを格納するためのフォルダである。
【００８７】
「モデル撮影」フォルダ内には、子フォルダとして一の「モデル画像」フォルダが設けられる。この「モデル画像」フォルダ内に、「モデル撮影モード」において参照されるモデル画像が格納される。すなわち、モデル画像は、メモリカード９内の階層フォルダ構造における所定の階層の準備フォルダとなる「モデル画像」フォルダ内に格納される。「モデル画像」フォルダに格納するモデル画像の数は、一枚以上であればどのような数であってもよい。すなわち、モデル画像の数は単数、複数のいずれであってもよい。
【００８８】
「モデル画像モード」においては、一度の撮影指示により一枚の撮影画像が取得されると、一旦、この撮影画像は画像メモリ２０４に格納される。そして、この画像メモリ２０４に格納された撮影画像（以下、「未処理撮影画像」という。）に対して、「モデル画像」フォルダに格納するモデル画像の数と同じ回数の画像処理がそれぞれなされ、画像処理ごとに処理済みの撮影画像（以下、「処理済画像」という。）が得られ、この処理済画像がメモリカード９に記録される。したがって、一の撮影指示により、「モデル画像」フォルダ内のモデル画像の数と同数の処理済画像が得られる。例えば、「モデル画像」フォルダ内のモデル画像が一枚であれば、一度の撮影指示により一枚の処理済画像が得られ、「モデル画像」フォルダ内のモデル画像の数が二枚であれば、一度の撮影指示により二枚の処理済画像が得られる。本実施の形態においては、このように一度の撮影指示により得られる単数あるいは複数の処理済画像（撮影画像）の組を「グループ」と呼ぶ。
【００８９】
モデル画像は、ユーザがコンピュータ等を使用して外部からデジタルカメラ１に画像転送を行うことにより図１８に示す如く格納されるようになっていてもよく、デジタルカメラ１がモデル画像を取得する動作モードを備え、この動作モードにおいて取得された撮影画像がモデル画像として図１８に示す如く登録されるようになっていてもよい。
【００９０】
図１９は、撮影画像を記録した後のメモリカード９内の状態の例を示す図である。図１９において、撮影画像１１１，１１２および撮影画像１２１，１２２は、「モデル撮影モード」において得られた撮影画像（処理済画像）を示している。「モデル画像モード」において得られた撮影画像は、第１の実施の形態と同様に、一のグループごとにグループフォルダと呼ばれる一の記録用フォルダ（「グループ１」フォルダ，「グループ２」フォルダ）内に格納される。各グループの名称は、対応するグループフォルダの名称と同一とされる。グループの名称に付される番号は、そのグループが生成された順位を示し、各グループを識別する。「モデル撮影モード」において得られた撮影画像をいずれのフォルダに記録するかの制御は、記録制御部６２によってなされる。
【００９１】
次に、モデル撮影モードにおけるデジタルカメラ１の動作について説明する。図２０は、主としてモデル撮影制御部６０の制御によりなされるモデル撮影モードにおけるデジタルカメラ１の動作の流れを示す図である。以下、図２０を参照しつつこの動作について説明する。なお、この動作の前には、メモリカード９内に図１８あるいは図１９に示すように、モデル画像はメモリカード９内の階層フォルダ構造における所定の階層の「モデル画像」フォルダ内に予め格納されているものとする。
【００９２】
モード切替レバー２７の操作により動作モードが「モデル撮影モード」に切り替えられると、まず、モデル画像検出部６１によってメモリカード９内が参照され、「モデル画像」フォルダ内のモデル画像が検出される（ステップＳＴ２１）。
【００９３】
次に、液晶モニタ２８においてライブビュー表示がなされ、シャッタボタン２５の押下を待機する状態となる。この状態で、ユーザがフレーミングを行った後、シャッタボタン２５を押下すると、デジタルカメラ１に撮影指示が受け付けられ（ステップＳＴ２３にてＹｅｓ）、この撮影指示に応答してＣＣＤ２１にて撮影画像が取得される（ステップＳＴ２４）。取得された撮影画像は、信号処理回路２０２およびＡ／Ｄ変換器２０３により所定の処理がなされた後、画像メモリ２０４に未処理撮影画像として格納される（ステップＳＴ２５）。
【００９４】
続いて、ステップＳＴ２１にて検出されたモデル画像のうちの一のモデル画像が参照する対象（以下、「注目モデル画像」という。）として決定される（ステップＳＴ２６）。
【００９５】
続いて、注目モデル画像のタグ情報が参照され、このタグ情報から画像処理条件が取得される。そして、取得された画像処理条件が、画像処理部２０５が行う画像処理のための画像処理条件として設定される（ステップＳＴ２７）。
【００９６】
続いて、画像処理部２０５により、画像メモリ２０４内の未処理撮影画像に対して、ステップＳＴ２７で設定された画像処理条件（すなわち、注目モデル画像の画像処理条件）に基づく画像処理が施され、一の処理済画像が生成される。例えば、図１７の例に示す画像（「画像形式」：「ＪＰＧ」，「画像圧縮率」：「低」，「画像サイズ」：「ＳＸＧＡ」，「カラー形式」：「カラー」）が注目モデル画像とされたときには、処理済画像を生成する際の画像処理条件も、「画像形式」：「ＪＰＧ」，「画像圧縮率」：「低」，「画像サイズ」：「ＳＸＧＡ」，「カラー形式」：「カラー」となる（ステップＳＴ２８）。
【００９７】
生成された処理済画像は、画像処理部２０５によりＥｘｉｆ形式の画像ファイルとされており、この状態で画像メモリ２０４に格納される。このとき、モデル撮影制御部６０の制御により、画像ファイルのタグ情報に、ステップＳＴ２７で設定された画像処理条件が記載される。なお、処理済画像が作成された後も、未処理撮影画像は画像メモリ２０４から削除されることなく保持される。
【００９８】
一の注目モデル画像に従って画像処理が行われて処理済画像が生成されると、注目モデル画像に設定されていないモデル画像がある場合は（ステップＳＴ２９にてＹｅｓ）、このモデル画像のうちの一のモデル画像が次の注目モデル画像として決定される（ステップＳＴ２６）。そして、上記と同様にして、注目モデル画像の画像処理条件に基づく画像処理が施され、一の処理済画像が生成される。このような処理が繰り返されることにより、最終的に全てのモデル画像の画像処理条件に基づく画像処理が未処理撮影画像に対してなされ、モデル画像と同数の処理済画像、すなわち、一のグループが生成される。なお、この時点で、未処理撮影画像は画像メモリ２０４から削除される。
【００９９】
一のグループが生成されると、当該グループを格納するための一のグループフォルダが記録制御部６２により作成される。このグループフォルダは、図１９に示す如く、「モデル撮影」フォルダ内に、その子フォルダとして作成される。すなわち、「モデル画像」フォルダと、階層フォルダ構造における同一階層に、グループフォルダが作成される。このグループフォルダの名称においても、既存のグループ数＋１が付される（ステップＳＴ３０）。
【０１００】
グループフォルダが作成されると、生成されたグループが当該グループフォルダ内に記録される（ステップＳＴ３１）。以降は、撮影を継続するか終了するかを問い合せるメッセージが液晶モニタ２８に表示され（ステップＳＴ３２）、ユーザにより「継続」が選択された場合は、処理はステップＳＴ２２に戻り、「終了」が選択された場合は、処理が終了する。
【０１０１】
以上、第２の実施の形態について説明したように、本実施の形態のデジタルカメラ１でも、モデル画像検出部６１が一の「モデル画像」フォルダに予め格納された、所定数のモデル画像によって構成されるモデル画像群を検出する。そして、記録制御部６２がメモリカード９にグループフォルダを作成し、検出された各モデル画像に対応した画像処理条件で画像処理がなされた所定数の処理済画像を１つのグループとした撮影画像群を、撮影画像群ごとに一のグループフォルダに記録する。このため、「モデル画像」フォルダとグループフォルダとで、含まれる画像の画像処理条件の組み合わせが一致する。これにより、撮影画像を撮影画像群（グループ）ごとに容易に管理できる。また、グループフォルダは、記録制御部６２により自動的に作成されるため、ユーザが予めグループフォルダを準備するなどの煩雑な作業も必要とならない。
【０１０２】
また、本実施の形態においては、ＣＣＤ２１で得られた一の未処理撮影画像に対して、所定数のモデル画像のそれぞれのタグ情報で指示される画像処理条件に基づく画像処理をそれぞれ行うことにより、一のグループとしての所定数の処理済画像を生成する。このため、モデル画像と同一の画像処理条件で画像処理がなされた撮影画像を得ることができる。例えば、２つのモデル画像が存在し、この「画像形式」がそれぞれ「ＪＰＧ」および「ＲＡＷ」であれば、一の撮影指示に応答して二枚の撮影画像が得られ、この二枚の撮影画像の「画像形式」はそれぞれ「ＪＰＧ」および「ＲＡＷ」となる。したがって、ユーザが画像処理条件を設定する必要なく、自動的に所望の画像処理条件で画像処理がなされた撮影画像の組み合わせを得ることができる。
【０１０３】
また、本実施の形態の記録制御部６２も、一のグループを新規に取得するときに、その一のグループを記録するための新たなグループフォルダを作成するため、無駄なフォルダが作成されることもない。
【０１０４】
また、モデル画像を記録するメモリカード９は、デジタルカメラ１に対して着脱可能であることから、各種のモデル画像を記録したメモリカード９を複数枚用意しておけば、デジタルカメラ１に対して装着するメモリカード９を入れ替えることで、様々な画像処理条件に対応した撮影画像を得ることができる。
【０１０５】
＜３．第３の実施の形態＞
次に、第３の実施の形態について説明する。上記第１および第２の実施形態では、準備画像（ガイド画像またはモデル画像）を記録するメモリカードに撮影画像も記録されるようになっていたが、準備画像を記録するメモリカードと、撮影画像を記録するためのメモリカードとは別構成となっていてもよい。
【０１０６】
図２１は、このような場合のデジタルカメラ１の外観構成を示す図である。図に示すように、本実施の形態のデジタルカメラ１の側面部には２つのカードスロット２６ａ，２６ｂが形成される。これにより、デジタルカメラ１は、２つのメモリカード９ａ，９ｂを装着することが可能となっている。
【０１０７】
本実施の形態では、一方のメモリカード９ａには準備画像（ガイド画像またはモデル画像）が記録され、他方のメモリカード９ｂには撮影画像が記録される点で、上記実施の形態のデジタルカメラ１と相違するが、その他の構成および動作は上記実施の形態と同様である。
【０１０８】
このように、準備画像を記録するメモリカード９ａと、撮影画像を記録するためのメモリカード９ｂとを別構成とすることで、撮影画像を記録するためのメモリカード９ｂに予め準備画像を用意する必要がないため、撮影画像を記録するためのメモリカード９ｂのデータ容量を確保することができる。
【０１０９】
なお、本実施の形態では、準備画像を記録するためのメモリカードを別途用意するようにしているが、準備画像をデジタルカメラ１のＲＡＭ４２、ＲＯＭ４３または専用メモリなどに予め記録しておくことで、準備画像を記録するための記録媒体と、撮影画像を記録するための記録媒体とを別構成にするようにしてもよい。これによっても、撮影画像を記録するためのメモリカードのデータ容量を確保することができる。
【０１１０】
◎なお、上述した具体的実施の形態には以下の構成を有する発明が含まれている。
【０１１１】
（１）  請求項１ないし５のいずれかに記載の撮像装置において、
前記記録手段は、階層フォルダ構造における前記準備フォルダと同一階層に前記記録用フォルダを作成することを特徴とする撮像装置。
【０１１２】
これによれば、準備フォルダと、記録用フォルダとの対応関係が明瞭となる。
【０１１３】
（２）  請求項１ないし５のいずれかに記載の撮像装置において、
前記準備画像群を記録する記録媒体は、前記撮影画像を記録するための記録媒体とは別構成（別体）であることを特徴とする撮像装置。
【０１１４】
これによれば、撮影画像群を記録するための記録媒体のデータ容量を確保することができる。
【０１１５】
（３）  請求項１ないし５のいずれかに記載の撮像装置において、
前記準備画像群を記録する記録媒体は、前記撮像装置に対して着脱可能であることを特徴とする撮像装置。
【０１１６】
これによれば、準備画像群を記録した記録媒体を種々用意しておき、撮像装置に対して装着する記録媒体を入れ替えることで、種々の属性に対応した撮影画像群を得ることができる。
【０１１７】
【発明の効果】
以上、説明したように、請求項１の発明によれば、準備フォルダとは異なる記録用フォルダを撮影画像の記録媒体に作成し、各準備画像に対応した属性を持つ所定数の撮影画像を１つのグループとした撮影画像群を、撮影画像群ごとに一の記録用フォルダに記録するため、準備フォルダと記録用フォルダとで、含まれる画像群の属性の組み合わせが一致する。これにより、撮影画像を撮影画像群（グループ）ごとに容易に管理できる。また、記録用フォルダが記録手段により自動的に作成されるため、ユーザが予め記録用フォルダを準備する必要もない。
【０１１８】
また、請求項２の発明によれば、ガイド画像に従って取得される撮影画像をグループごとに、フォルダによって容易に管理できる。
【０１１９】
また、請求項３の発明によれば、準備画像群と同一の画像処理条件で画像処理がなされた撮影画像群を得ることができる。
【０１２０】
また、請求項４の発明によれば、準備画像の属性と、撮影画像の属性との対応関係が明確となる。
【０１２１】
また、請求項５の発明によれば、無駄なフォルダが作成されない。
【図面の簡単な説明】
【図１】本発明の実施の形態に係る撮像装置としてのデジタルカメラの斜視図である。
【図２】デジタルカメラの背面側の構成を示す図である。
【図３】第１の実施の形態のデジタルカメラの主たる内部構成を示す図である。
【図４】ガイド撮影を説明するための図である。
【図５】撮影画像を記録する前のメモリカード内の状態の例を示す図である。
【図６】撮影画像を記録した後のメモリカード内の状態の例を示す図である。
【図７】画像ファイルの例を示す図である。
【図８】ガイド撮影モードにおけるデジタルカメラの動作の流れを示す図である。
【図９】ガイド撮影モードにおけるデジタルカメラの動作の流れを示す図である。
【図１０】パターンを選択するための画面の例を示す図である。
【図１１】グループを選択するための画面の例を示す図である。
【図１２】構図決定画面の例を示す図である。
【図１３】ガイド撮影時におけるライブビュー表示の例を示す図である。
【図１４】構図決定画面の例を示す図である。
【図１５】構図決定画面の例を示す図である。
【図１６】第２の実施の形態のデジタルカメラの主たる内部構成を示す図である。
【図１７】画像ファイルの例を示す図である。
【図１８】撮影画像を記録する前のメモリカード内の状態の例を示す図である。
【図１９】撮影画像を記録した後のメモリカード内の状態の例を示す図である。
【図２０】モデル撮影モードにおけるデジタルカメラ１の動作の流れを示す図である。
【図２１】第３の実施の形態のデジタルカメラの外観構成を示す図である。
【符号の説明】
１      デジタルカメラ
３      撮影レンズ
９      メモリカード
２６      カードスロット
５０      ガイド撮影制御部
５１      ガイド画像検出部
５２      記録制御部
【図１】
2004312244.tif 000003
【図２】
2004312244.tif 000004
【図３】
2004312244.tif 000005
【図４】
2004312244.tif 000006
【図５】
2004312244.tif 000007
【図６】
2004312244.tif 000008
【図７】
2004312244.tif 000009
【図８】
2004312244.tif 000010
【図９】
2004312244.tif 000011
【図１０】
2004312244.tif 000012
【図１１】
2004312244.tif 000013
【図１２】
2004312244.tif 000014
【図１３】
2004312244.tif 000015
【図１４】
2004312244.tif 000016
【図１５】
2004312244.tif 000017
【図１６】
2004312244.tif 000018
【図１７】
2004312244.tif 000019
【図１８】
2004312244.tif 000020
【図１９】
2004312244.tif 000021
【図２０】
2004312244.tif 000022
【図２１】
2004312244.tif 000023